(57)【特許請求の範囲】
【請求項１】
ショベル又はスコップの掬い部に接続され固定される円筒形状の金属製柄であって、
前記金属製柄の先端部は略楕円推台形状に形成される一対の折曲片から形成されてなると共に、
前記一対の折曲片は、夫々、湾曲状に形成される湾曲側面と、前記湾曲側面の上端に形成される平坦縁とを有する側面視略台形状に形成され、
前記折曲片の底部には底部両側部から周方向内方に向けて楔状に穿設される折曲代を形成してなり、
前記一対の折曲片を、それぞれ軸心方向に向けて、前記折曲片の側縁の基端部が前記折曲代の底縁に当接するまで折曲し、前記先端部を略楕円推台形状に形成してなる
ことを特徴とするショベル又はスコップの金属製柄。
【請求項２】
前記一対の折曲片は、前記湾曲側面の両側縁を、対向する前記折曲片の前記側面の両側縁と当接して形成してなる
ことを特徴とする請求項１に記載のショベル又はスコップの金属製柄。
【請求項３】
請求項１又は２に記載の金属製柄を備えることを特徴とするショベル又はスコップ。
【発明の詳細な説明】
【技術分野】
【０００１】
本発明は、ショベル又はスコップの金属製柄及びそれを備えるショベル又はスコップに関する。
【背景技術】
【０００２】
従来、金属製のショベル柄又はスコップ柄の先端構造としては、例えば、特開２００６−２１４２２３号（特許文献１）に記載のものが公知である。前記公報に記載の発明は、把柄及び握り連結体をそれぞれアルミ材にて形成し、これらをアルミ溶接にて接合するものであり、把柄の先端縁に略三角形状の切り込みを４箇所連続して設け、各切り込み両側に残る４片の凸片をそれぞれ把柄の軸心方向へ折曲することにより、把柄の先端側をテーパー状に絞って、略円錐形状とする嵌入部を成形し、鋼製の匙体の差込部に把柄の略円錐形状に形成された嵌入部を圧入してリベットにて締結固定している。
【先行技術文献】
【特許文献】
【０００３】
【特許文献１】特開２００６−２１４２２３号      第１頁  図２
【発明の概要】
【発明が解決しようとする課題】
【０００４】
しかしながら、前記公報記載の前記ショベル又はスコップの柄の先端構造は、把柄の先端縁に略三角形状の切り込みを４箇所連続して設けており、前記各切り込み両側に残る４枚の凸片をそれぞれ把柄の軸心方向へ折曲する際に、夫々の凸片を均等に折曲しなければ、柄の断面円中心軸を頂点とする略円錐形状に形成することができない。すなわち、前記嵌入部を略円錐台形状に形成するには、４枚の凸片を均等に折曲しなければ、均等に折曲できず、不均等な折曲するような場合は、一部の凸片が座屈して内方に入り込み、略円錐形状に形成できない場合が生じる。また、前記ショベル又はスコップを使用する場合に、土石等が前記柄の内部に入り込み、一部の凸片が内方に入り込み座屈する虞が生じる。
【０００５】
本発明は、かかる事情に鑑みてなされたものであって、ショベル又はスコップの金属製柄の先端部を一対の折曲片で構成する略円錐台形状として、前記先端部を形成する折曲片を座屈し難い構造とすると共に、前記折曲片が前記略円錐台形状を容易に形成することのできるショベル又はスコップの柄の先端構造及びそれを備えるショベル又はスコップを提供することを目的とする。
【課題を解決するための手段】
【０００６】
請求項１に記載のショベル又はスコップの金属製柄は、ショベル又はスコップの掬い部に接続され固定される円筒形状の金属製柄であって、前記金属製柄の先端部は略楕円推台形状に形成される一対の折曲片から形成されてなると共に、前記一対の折曲片は、夫々、湾曲状に形成される湾曲側面と、前記湾曲側面の上端に形成される平坦縁とを有する側面視略台形状に形成され、前記折曲片の底部には底部両側部から周方向内方に向けて楔状に穿設される折曲代を形成してなり、前記一対の折曲片を、それぞれ軸心方向に向けて、前記折曲片の側縁の基端部が前記折曲代の底縁に当接するまで折曲し、前記先端部を略楕円推台形状に形成してなることを特徴とする。
【０００７】
請求項１に記載のショベル又はスコップの金属製柄にあっては、前記一対の折曲片の底部両端縁が前記折曲代の底縁に当接しているので、前記折曲片は座屈し難くなると共に、前記折曲片は、前記先端部を容易に前記略円錐台形状に形成することができる。
【０００８】
請求項２に記載のショベル又はスコップの金属製柄は、請求項１記載のショベル又はスコップの金属製柄において、前記一対の折曲片は、前記湾曲側面の両側縁を対向する前記折曲片の前記側面の両側縁と当接して形成してなることを特徴とする。
【０００９】
請求項２に記載のショベル又はスコップの金属製柄にあっては、請求項１に記載のショベル又はスコップの金属製柄に加えて、さらに、前記折曲片の湾曲面の両側縁を対向する折曲片の湾曲面の両側縁に当接しているので、さらに強度が増すこととなる。
【００１０】
請求項３に記載のショベル又はスコップは、請求項１又は２に記載の金属製柄を備えることを特徴とする。
【００１１】
請求項３に記載のショベル又はスコップにあっては、前記金属製柄の先端部を形成する折曲片が座屈し難い構造となると共に、前記折曲片が前記略円錐台形状を容易に形成することのできるので、柄の製造を容易に行うことができる。
【発明の効果】
【００１２】
請求項１に記載のショベル又はスコップの金属製柄によれば、ショベル又はスコップの掬い部に接続され固定される円筒形状の金属製柄であって、前記金属製柄の先端部は略楕円推台形状に形成される一対の折曲片から形成されてなると共に、前記一対の折曲片は、夫々、湾曲状に形成される湾曲側面と、前記湾曲側面の上端に形成される平坦縁とを有する側面視略台形状に形成され、前記折曲片の底部には底部両側部から周方向内方に向けて楔状に穿設される折曲代を形成してなり、前記一対の折曲片を、それぞれ軸心方向に向けて、前記折曲片の側縁の基端部が前記折曲代の底縁に当接するまで折曲し、前記先端部を略楕円推台形状に形成しているので、前記一対の折曲片の底部両端縁が前記折曲代の底縁に当接することとなり、前記折曲片が座屈し難くなると共に、前記折曲片は、前記先端部を容易に前記略円錐台形状に形成することができる。
【００１３】
請求項２に記載のショベル又はスコップの金属製柄によれば、請求項１記載のショベル又はスコップの金属製柄において、前記一対の折曲片は、前記湾曲側面の両側縁を対向する前記折曲片の前記側面の両側縁と当接して形成しているので、さらに強度が増すこととなる。
【００１４】
請求項３に記載のショベル又はスコップによれば、請求項１又は２に記載の金属製柄を備えているので、前記金属製柄の先端部を形成する折曲片が座屈し難い構造となると共に、前記折曲片が前記略円錐台形状を容易に形成することのできるので、柄の製造を容易に行うことができる。
【図面の簡単な説明】
【００１５】
【図１】（ａ）は本発明に係るショベル又はスコップを示す正面図であり、（ｂ）は背面図である。
【図２】掬い部と柄の拡大図である。
【図３】掬い部と柄の接続部の部分拡大図である。
【図４】柄の先端部の折曲前の拡大斜視図である。
【図５】図４の平面図である。
【図６】図４の側面図である。
【図７】図４の正面図である。
【図８】図４の展開図である。
【図９】柄の先端部の拡大斜視図である。
【図１０】図９の平面図である。
【図１１】図９の正面図である。
【発明を実施するための形態】
【００１６】
以下、本発明を実施するための最良の形態を図面に基づいて具体的に説明する。
【００１７】
図１（ａ）は本発明に係るショベルを示す正面図であり、同図（ｂ）は背面図である。図２は掬い部と柄の拡大図であり、図３は掬い部と柄の接続部の部分拡大図である。
【００１８】
図１乃至図３において、１０はショベルであり、前記ショベル１０は、薄い鋼板から形成される掬い部２０と、前記掬い部２０に接続され固定される金属製柄３０とから構成されている。
【００１９】
前記掬い部２０の基端部には、断面略Ｃ字状の連結筒状部２１が前記掬い部２０と一体的に突設形成されており、前記連結筒状部２１に前記金属製柄３０の先端を圧入すると共にリベットにより前記金属製柄３０を固定すると共に、前記連結筒状部２１に、略円筒形状の補強筒２２を外嵌させて固定させている。
【００２０】
前記金属製柄３０は、アルミニウム製のパイプ材によって形成され、基端部に把持部３１を組み付けると共に、先端部３２を略円錐台形状に形成して、先端部３２の強度の増強を図ると共に、使用する際に土砂等が金属製柄３０内に入り込まないようにしている。
【００２１】
図４は柄の先端部の折曲前の拡大斜視図であり、図５は図４の平面図であり、図６は図４の側面図であり、図７は図４の正面図であり、図８は図４の展開図である。
【００２２】
図４乃至図８に示すように、前記先端部３２は、円筒形状のパイプ材の先端に軸方向に向けて対向するように略三角形状の切り込みを、一定間隔を設けて穿設して、平坦縁３３ｃ及び側縁３３ｂを有する略台形状の折曲片３３を形成する。
【００２３】
さらに、前記折曲片３３の底部両側部から周方向内方に向けて略楔状の折曲代３４を穿設することにより、前記折曲片３３に底縁３３ｄを形成すると共に、前記底縁３３ｄの対向側には当接縁３４ａを形成するのである。
【００２４】
図９は柄の先端部の拡大斜視図であり、図１０は図９の平面図であり、図１１は図９の正面図である。
【００２５】
上記のように形成した前記折曲片３３，３３を、軸芯方向に向けて折曲すると、前記側縁３３ｂの基端部が前記当接縁３４ａと当接し、それ以上は折曲しないため、その位置にて固定される。一方、前記折曲代３４は、前記側縁３３ｂの基端部が前記当接縁３４ａと当接する位置で、対向する前記側縁３３ｂ同士が当接するように形成しているので、対向する前記側縁３３ｂ，３３ｂも、夫々当接する状態にて固定されるのである。
【００２６】
以上のように構成されるショベルにあっては、前記一対の折曲片の底部両端縁が前記折曲代の底縁に当接すると共に、前記一対の折曲片は、前記湾曲側面の両側縁を対向する前記折曲片の前記側面の両側縁と当接して形成されているので、前記折曲片は座屈し難くなると共に、前記先端部を容易に前記略円錐台形状に形成することができる。
【００２７】
なお、上記の実施例はショベルについての実施例であったが、スコップ又はスペード等の同様の構成を有するものにも適用することができる。
【符号の説明】
【００２８】
１０    ショベル
２０    掬い部
２１    連結筒状部
２２    補強筒
３０    金属製柄
３１    把持部（ハンドル）
３２    先端部
３３    折曲片
３３ａ  湾曲側面
３３ｂ  側縁
３３ｃ  平坦縁
３３ｄ  底縁
３４    折曲代
３４ａ  当接縁
【要約】
【課題】ショベル又はスコップの金属製柄の先端部を形成する折曲片を座屈し難い構造とすると共に、前記折曲片が前記略円錐台形状を容易に形成することのできるショベル又はスコップの金属製柄及びそれを備えるショベル又はスコップを提供する。
【解決手段】ショベル又はスコップの掬い部に接続され固定される円筒形状の金属製柄であって、前記金属製柄の先端部は略楕円推台形状に形成される一対の折曲片から形成されてなると共に、前記一対の折曲片は、夫々、湾曲状に形成される湾曲側面と、前記湾曲側面の上端に形成される平坦縁とを有する側面視略台形状に形成され、前記折曲片の底部には前記底部両側から周方向内方に向けて楔状に穿設される折曲代を形成してなり、前記一対の折曲片を、それぞれ軸心方向に向けて、前記底部両端縁が前記折曲代の底縁に当接するまで折曲し、前記先端部を略楕円推台形状に形成した。
【選択図】  図９【図１】
0005777234.tif 000002
【図２】
0005777234.tif 000003
【図３】
0005777234.tif 000004
【図４】
0005777234.tif 000005
【図５】
0005777234.tif 000006
【図６】
0005777234.tif 000007
【図７】
0005777234.tif 000008
【図８】
0005777234.tif 000009
【図９】
0005777234.tif 000010
【図１０】
0005777234.tif 000011
【図１１】
0005777234.tif 000012